(57)【要約】【課題】タッチパネルによる織機の表示装置において、織機停止状態によるインターロック制御を画面上のボタン表示で制御することによって、制御装置内の回路を簡素化することにある。【解決手段】織機の表示装置は、タッチパネルを有する表示部と、１以上の操作関連のボタンを前記表示部の画面に表示させる表示指令部と、織機の停止状態に応じて予め設定されたインターロックすべき１以上の前記操作関連のボタンを個別的に非表示及び動作不能状態の少なくとも一方におくボタン切換指令部とを含む。【選択図】          図１
2004190181.tif 000002
【特許請求の範囲】
【請求項１】
タッチパネルを有する表示部と、
１以上の操作関連のボタンを前記表示部の画面に表示させる表示指令部と、
織機の停止状態に応じて予め設定されたインターロックすべき１以上の前記操作関連のボタンを個別的に非表示及び動作不能状態の少なくとも一方におくボタン切換指令部とを含む、織機の表示装置。
【請求項２】
前記操作関連のボタンは１以上の操作ボタン及び１以上の操作許可ボタンを含み、
当該表示装置は、さらに、１つの前記操作ボタン及び１つの前記操作許可ボタンが共に押下されたとき、押下された前記操作ボタンを有効とする動作指令部を含み、
前記インターロックすべき１以上の前記操作関連のボタンは前記操作ボタン及び前記操作許可ボタンの少なくとも一方を含む、請求項１に記載の表示装置。
【請求項３】
前記操作関連のボタンは１以上の操作ボタンを含み、
前記インターロックすべき１以上の前記操作関連のボタンは前記操作ボタンを含む、請求項１に記載の表示装置。
【請求項４】
前記操作関連のボタンは、１つの操作許可ボタンを含み、
当該表示装置は、さらに、１つの前記操作ボタン及び前記操作許可ボタンが共に押下されたとき、押下された前記操作ボタンを有効とする動作指令部を含み、
前記インターロックすべき１以上の前記操作関連のボタンは前記操作許可ボタンを含む、請求項３に記載の表示装置。
【請求項５】
前記操作関連のボタンは複数の操作許可ボタンを含み、
当該表示装置は、さらに、１つの前記操作ボタン及び１つの前記操作許可ボタンが押下されたとき、押下された前記操作ボタンを有効とする動作指令部を含み、
前記インターロックすべき１以上の前記操作関連のボタンは、前記操作許可ボタンを含む、請求項３に記載の表示装置。
【請求項６】
さらに、複数の前記停止状態が同時に発生したとき、前記停止状態のオア条件で前記操作関連のボタンの少なくとも１つを非表示及び動作不能状態の少なくとも一方にさせるオア切換指令部を含む、請求項１から５のいずれか１項に記載の表示装置。
【発明の詳細な説明】
【０００１】
【発明の属する技術分野】
本発明は、タッチパネル式の表示部を用い、その表示部の画面に表示する操作ボタンを制御することにより、織機をその停止状態に応じてインターロック制御する表示装置に関する。
【０００２】
【従来の技術】
織機における表示装置の１つとして、特許文献１に記載の技術が知られている。
【０００３】
特許文献１に記載の表示装置は、織機の製織に関連するデータを記憶する記憶部と、複数の製織関係者の各作業内容に対応するデータを前記記憶機構から選択するための切換選択部と、前記切換選択部の切り替え操作に応じて前記記憶機部から対応するデータを読み出す制御部と、前記制御部から送信されるデータを表示する表示部とを備えている。
【０００４】
特許文献１に記載の表示装置では、緯入れミスなどにより織機が停止状態であっても、操作者が手動で操作ボタンを押下すると、押下された操作ボタンに対応する押下信号がその操作ボタンから織機の制御装置に入力され、制御装置は入力した押下信号に応じて織機を作動させる。
【０００５】
このため、上記表示装置を用いた織機は、押下信号が制御装置に入力しても、織機状態信号（織機停止状態を含むあらゆる織機状態を判別するための信号）が制御装置に入力されて、その織機状態信号が織機の停止状態を表す場合に、停止状態の織機の適宜な機能を作動させないようにする（インターロックさせる）ためのインターロック回路を、表示装置とは別に制御装置に組み込んでいる。
【０００６】
【特許文献１】
特開平６−８１２５１号公報
【０００７】
【発明が解決しようとする課題】
上記織機の制御装置は、織機を作動させる指令としての動作信号を出力させないためのインターロック回路を組み込んでいるから、制御装置内の回路及び織機の電装構成が複雑になる。換言すると、新たな表示装置を開発するたびに、それに併せて制御装置の複雑な回路を設計変更しなければならない。
【０００８】
本発明の目的は、タッチパネルによる織機の表示装置において、織機停止状態によるインターロック制御を画面上のボタン表示で制御することによって、制御装置内の回路を簡素化することにある。
【０００９】
【課題を解決するための手段】
本発明に係る表示装置は、タッチパネルを有する表示部と、１以上の操作関連のボタンを前記表示部の画面に表示させる表示指令部と、織機の停止状態に応じて予め設定されたインターロックすべき１以上の前記操作関連のボタンを個別的に非表示及び動作不能状態の少なくとも一方におくボタン切換指令部とを含む。
【００１０】
前記操作関連のボタンは１以上の操作ボタン及び１以上の操作許可ボタンを含み、当該表示装置は、さらに、１つの前記操作ボタン及び１つの前記操作許可ボタンが共に押下されたとき、押下された前記操作ボタンを有効とする動作指令部を含み、前記インターロックすべき１以上の前記操作関連のボタンは前記操作ボタン及び前記操作許可ボタンの少なくとも一方を含むことができる。
【００１１】
前記操作関連のボタンは１以上の操作ボタンを含み、前記インターロックすべき１以上の前記操作関連のボタンは前記操作ボタンを含むことができる。
【００１２】
前記操作関連のボタンは、１つの操作許可ボタンを含み、当該表示装置は、さらに、１つの前記操作ボタン及び前記操作許可ボタンが共に押下されたとき、押下された前記操作ボタンを有効とする動作指令部を含み、前記インターロックすべき１以上の前記操作関連のボタンは前記操作許可ボタンを含むことができる。
【００１３】
前記操作関連のボタンは複数の操作許可ボタンを含み、当該表示装置は、さらに、１つの前記操作ボタン及び１つの前記操作許可ボタンが押下されたとき、押下された前記操作ボタンを有効とする動作指令部を含み、前記インターロックすべき１以上の前記操作関連のボタンは前記操作許可ボタンを含むことができる。
【００１４】
上記表示装置は、さらに、複数の前記停止状態が同時に発生したとき、前記停止状態のオア条件で前記操作関連のボタンの少なくとも１つを非表示及び動作不能状態の少なくとも一方にさせるオア切換指令部を含むことができる。
【００１５】
【発明の作用及び効果】
上記いずれの表示装置も、インターロックすべき画面上の操作ボタン又は操作許可ボタンを含む操作関連のボタンを織機の停止状態に応じて非表示又は動作不能にさせるから、インターロックされた操作ボタン又は操作許可ボタンを含む操作関連のボタンに対応する指令信号は織機の制御装置に出力されない。このため、インターロック回路を制御装置内に設ける必要が無く、制御装置のインターロック用回路部分を削減することができ、制御装置の回路設計に際しては、表示装置からのインターロック回路を考慮する必要がない。したがって、制御装置内の回路を簡素化することができると共に、制御装置の回路変更の自由度が高くなる。
【００１６】
上記いずれの表示装置も、また、インターロックすべき操作ボタン又は操作許可ボタンを含む操作関連のボタンを表示する回路を追加しているから、接点ボタンスイッチ・タイプの操作ボタンを表示装置の周りに配置する必要がない。このため、制御装置のインターロック回路が不要となり、織機全体の電装構成が簡素になる。
【００１７】
上記いずれの表示装置も、操作ボタンや操作許可ボタンを含む操作関連のボタン自体を非表示又は動作不能にするから、複数の操作者が織機についての作業をする場合において、誤操作を確実に防止することができる。
【００１８】
【発明の実施の形態】
［第１実施例］
【００１９】
図１から図４を参照するに、織機１０は、制御装置１２と、原動部１４と、表示装置１６とを含む。表示装置１６は、表示制御部１８と表示部２０とを含む。
【００２０】
また、表示成魚部１８は、表示指示部、ボタン切換指示部、動作指令部及びオア切換指令部の少なくとも１つを含む。
【００２１】
図１を参照して、織機１０の構成を説明する。
【００２２】
制御装置１２は、織機１０の各種データをデータ信号Ｓ１として表示制御部１８に送信する。また、制御装置１２は、表示制御部１８から受けた指令信号Ｓ２に基づいて織機の原動部１４に動作信号Ｓ３を出力する。指令信号Ｓ２は織機１０にさせるべき動作の種類を表す信号であり、動作信号Ｓ３はその動作を指令する信号である。
【００２３】
原動部１４は、動作信号Ｓ３を受けて駆動する、例えば、主軸用モータ、開口装置専用のモータ、係止ピン用ソレノイド等、各種の駆動源を含む。
【００２４】
表示制御部１８は、制御装置１２からのデータ信号Ｓ１及び織機状態信号Ｓ４を受信する。第１の実施例における表示制御部１８は、その時々の織機の状態を表す織機状態信号Ｓ４を基に織機の運転状態を確認して１以上の操作ボタン２２を表示部２０に表示させる表示指令を表示信号Ｓ５として表示部２０に出力する。
【００２５】
ここで、操作ボタン２２とは、押下することにより織機１０を動作させたり停止させたりするボタンのことをいう。
【００２６】
表示制御部１８は、また、織機状態信号Ｓ４が織機の停止状態を表している場合には、インターロックすべく停止状態毎に予め設定された操作ボタン２２を非表示にさせる非表示指令をインターロック信号Ｓ６として表示部２０に出力する。
【００２７】
織機状態信号Ｓ４として、例えば、停止状態に応じた表１に示す信号をテーブルの形で表示制御部１８に予め設定しておくことができる。
【００２８】
【表１】
2004190181.tif 000003
【００２９】
ここで、「トラブル発生（全般）」とは、織機の全般のトラブル、特に、織機１０全体を停止させて修復を行うようなトラブルをいう。
【００３０】
「対人センサー」とは、織り前側に設けられて筬の全幅に渡る感知範囲を有する透過形センサーのように、人を感知するセンサーをいう。透過形センサーは、製織中に操作者の手などの有無を検知する。
【００３１】
「正転禁止」及び「逆転禁止」とは、織機の構成上、主軸の回転角度に応じて正転又は逆転が禁止されている区域（主軸の回転角度範囲）をいう。
【００３２】
「緯止め停止」とは、緯糸フィーラが緯糸の到達を検出できない状態をいう。
【００３３】
表示部２０は、表示されている操作ボタンが押下されると、その操作ボタンを特定する押下信号Ｓ７を表示制御部１８に出力する。
【００３４】
図２を参照して、織機１０が定常に稼働しているときの模式的な画面を説明する。
【００３５】
表示部２０は、タッチパネルを採用しており、また表示制御部１８から入力される表示信号Ｓ５やインターロック信号Ｓ６に基づいて、入力信号により定まる１以上の操作ボタン２２を画面２４に目視可能に表示する。
【００３６】
画面２４の上側領域（点線の枠内）には織機１０に関するデータ（例えば、緯入れ条件等の製織条件）が表示されている。織機１０に関するデータの表示とインターロックの対象となる操作ボタン２２の表示とは、それぞれ、別画面又は別のタッチパネルに表示してもよい。
【００３７】
画面２４の下側には、矩形の操作ボタン２２，２２，２２が表示されている。操作ボタン２２，２２及び２２は、それぞれ、織機１０を正常運転に立ち上げることを入力する「運転ボタン」、織機１０の主軸を正転させることを入力する「正転ボタン」及び織機１０の主軸を逆転させることを入力する「逆転ボタン」であることを端的に表す「運」、「正」及び「逆」の文字からなるアイコンを付されて表示されている。しかし、「運転ボタン」、「正転ボタン」及び「逆転ボタン」を表す図形や記号であってもよい。
【００３８】
操作者は、「運」、「正」及び「逆」の操作ボタン２２が表示されている画面２４の１以上の箇所をタッチ（押下）すると、表示部２０は押下された操作ボタン２２に対応する押下信号Ｓ７を表示制御部１８に送信する。押下信号Ｓ７は、押下された操作ボタン２２を特定する情報を含む。
【００３９】
押下信号Ｓ７を受けた表示制御部１８は、後述する停台原因の有無を判断した後に、指令信号Ｓ２を制御装置１２に出力する。
【００４０】
表示部２０は、「運」、「正」及び「逆」の操作ボタン２２の表示信号Ｓ５並びに「ＯＮ」及び「ＯＦＦ」のインターロック信号Ｓ６を受けて、「ＯＮ」のインターロック信号Ｓ６に係る操作ボタン２２以外の表示信号Ｓ５に係る操作ボタン２２を画面２４に表示する。
【００４１】
織機１０が正常に稼働している場合、制御装置１２からデータ信号Ｓ１を受信した表示制御部１８は、画面２４に、制御装置１２の状態を表示させるための表示信号Ｓ５並びに「運」、「正」及び「逆」の操作ボタン２２を表示させるために「ＯＦＦ」のインターロック信号Ｓ６を表示部２０に出力する。画面２４の上側には、制御装置１２により制御される織機１０の現在の状態が表示される。
【００４２】
画面２４下側に表示されている「運」の操作ボタン２２が押下されると、表示部２０は、「運」の操作ボタン２２が押されたことを表す押下信号Ｓ７を出力する。表示制御部１８は、受けた押下信号Ｓ７に応じた指令信号Ｓ２を制御装置１２に出力する。制御装置１２は、受けた指令信号Ｓ２に応じた動作信号Ｓ３を原動部１４に出力する。これにより、原動部１４が作動する。
【００４３】
織機１０の稼働中に停台が発生すると、織機１０は、停台原因及び停台状態を含む「ＯＮ」の織機状態信号Ｓ４を表示制御部１８に出力する。
【００４４】
このとき、織機１０が「停台原因は織機１０の『トラブル発生（全般）』である」と判断すると、織機１０は「トラブル発生（全般）」を表す織機状態信号Ｓ４を表示制御部１８に出力する。
【００４５】
「トラブル発生（全般）」の織機状態信号Ｓ４を受けた表示制御部１８は予め設定された非表示にすべき操作ボタン２２を受けた織機状態信号Ｓ４に応じて表１に示すテーブルから読み出し、表示制御部１８のボタン切換指令部は非表示にすべき操作ボタン２２を特定する情報を含む「ＯＮ」のインターロック信号Ｓ６を表示部２０に出力する。
【００４６】
この例においては、「トラブル発生（全般）」のときは、「運」、「正」及び「逆」の操作ボタン２２を全て非表示すべきであることから、図３に示すように「運」、「正」及び「逆」の操作ボタン２２の全てが画面２４に非表示とされて、全ての操作ボタン２２が表示制御部１８及び表示部２０において無効として処理される。
【００４７】
このため、操作者が織機１０の停台原因を調査しているときに、誤って画面２４を押下しても、全ての操作ボタン２２が画面２４に表示されていないから、織機１０は「運」、「正」及び「逆」の操作ボタン２２に対応する作動をしない。
【００４８】
「停台状態は『逆転禁止』及び『緯止め停止』である」と織機１０が判断すると、織機１０は「逆転禁止」及び「緯止め停止」を表す情報を含む織機状態信号Ｓ４を表示制御部１８に出力する。織機状態信号Ｓ４を受信した表示制御部１８のオア切換指令部は、非表示にすべき操作ボタン２２を受けた織機状態信号Ｓ４に応じて表１のテーブルから読み出し、表示制御部１８の非表示指令部は、「逆転禁止」及び「緯止め停止」を表す情報を含む「ＯＮ」のインターロック信号Ｓ６を表示部２０に出力する。
【００４９】
この例においては、「逆転禁止」及び「緯止め停止」であるときは、「運」及び「逆」の操作ボタン２２を非表示とすべきであることから、画面２４は、図４に示すように、「運」及び「逆」の操作ボタン２２が非表示となり、「正」の操作ボタン２２のみが表示され、表示された操作ボタン２２のみが表示制御部１８及び表示部２０において有効として処理される。
【００５０】
このとき、操作可能な「正」の操作ボタン２２が画面２４に表示されているだけであって、インターロックすべき「運」及び「逆」の操作ボタン２２が画面２４に表示されていないから、操作者は、操作可能な「正」の操作ボタン２２を押下することはできるが、インターロックすべき「運」及び「逆」の操作ボタン２２を押下することはできない。したがって、インターロックすべき「運」及び「逆」の操作ボタン２２に対応する指令信号Ｓ２は制御装置１２に出力されない。
【００５１】
また、仮に、インターロックすべき「運」及び「逆」の操作ボタン２２が表示されていないのにも係わらず、インターロックすべき「運」及び「逆」の操作ボタン２２を表示すべき箇所が押下されても、表示部２０は「運」及び「逆」の操作ボタン２２を含まない押下信号Ｓ７を表示制御部１８に出力するにすぎない。
【００５２】
操作者が織機１０の停台原因（トラブル）を取り除くと、インターロックすべき「運」及び「逆」の操作ボタン２２のインターロック信号Ｓ６が「ＯＮ」から「ＯＦＦ」に切り替わり、「運」及び「逆」の操作ボタン２２のインターロックが解除されると共に、それらの操作ボタン２２が画面２４に表示される。
【００５３】
インターロックの解除（インターロック信号Ｓ６を「ＯＮ」から「ＯＦＦ」に切り替える）は、その旨を表示部２０に入力する操作ボタンを表示部２０に設けてもよいし、例えば、不良緯糸の除去等、修復作業が終了し、「逆」の操作ボタン２２が押下された後等に、インターロックを解除するロジック回路を表示制御部１８に組み込ませてもよい。
【００５４】
さらには、織機１０の停台中に各操作ボタン２２の押下、又は主軸の寸動（主軸のエンコーダ信号）を検知することによりインターロックを解除してもよい。具体的には、「緯止め停止」の場合、操作者が不良緯糸を抜いて「逆」の操作ボタン２２を押下したタイミングでインターロックを解除してもよいし、「逆」の操作ボタン２２を押下に伴って主軸が寸動動作を開始した時（主軸のエンコーダ信号が検知された時）にインターロックを解除してもよい。
【００５５】
これにより、「緯止め停止」の場合には不良緯糸を抜き忘れる等、停台原因を修復することなく、製織を再開させてしまう、という操作者のうっかりミスを防止することができ、織布品質向上に貢献する。
【００５６】
［第２の実施例］
【００５７】
図５を参照するに、第２の実施例において、表示制御部１８から「ＯＮ」のインターロック信号Ｓ６を受信した表示部２０は、インターロックすべき操作ボタン２２を動作不能であることを操作者に示すため、インターロックすべき操作ボタン２２を通常の操作可能な操作ボタン２２より薄く表示させている。
【００５８】
停台に起因して「正転禁止」を表す情報を含む織機状態信号Ｓ４が表示制御部１８に入力した場合について、図５に示す画面２４を参照して説明する。
【００５９】
表示制御部１８のボタン切換指令部は、「正」の操作ボタン２２を薄く表示させるべく、表示信号Ｓ５及びインターロック信号Ｓ６を表示部２０に出力する。表示信号Ｓ５及びインターロック信号Ｓ６を受けた表示部２０は、「正」の操作ボタン２２を薄く画面２４に表示させる。しかし、「正」の文字の色を他の色、例えば、警告を想起させる赤に変色させてもよいし、「正」の文字の上に「×」を重ねて表示してもよい。
【００６０】
操作者は、画面２４を目視することにより、織機１０に停台が発生し、その結果、「正」の操作ボタン２２に対応する主軸の正転が禁止されていることを瞬時にかつ確実に把握することができる。
【００６１】
仮に、操作者が、予め設定されたインターロックすべき「正」の操作ボタン２２を押下しても、表示部２０から表示制御部１８に出力される押下信号Ｓ７が表示信号Ｓ５に基づいて表示された「運」及び「逆」の操作ボタン２２に対応していないから、表示制御部１８は「正」の操作ボタン２２を表す情報を含む押下信号Ｓ７に基づいた指令信号Ｓ２を制御装置１２に出力しない（インターロックする）。
【００６２】
しかし、表示部２０は、インターロックすべき「正」の操作ボタン２２が押下に反応しないようにし、「正」の操作ボタン２２を表す情報を含む押下信号Ｓ７を表示部２０から表示制御部１８に出力しないようにしてもよい。
【００６３】
したがって、予め設定されたインターロックすべき「正」の操作ボタン２２は、動作不能状態（無効状態）になっているから、操作者が「正」の操作ボタン２２を押下しても織機１０の主軸は正転しない。
【００６４】
［第３の実施例］
【００６５】
図６及び図７を参照するに、第３の実施例において、表示制御部１８は、操作者が１つだけ画面２４に表示されている操作許可ボタン２６と操作しようとする操作ボタン２２とを共に押下したとき、押下された操作ボタン２２を有効とする動作指令部を含む。
【００６６】
図６に示すように、表示制御部１８に停台原因に関する織機状態信号Ｓ４が入力していないと、画面２４は、「運」、「正」及び「逆」の操作ボタン２２と、これらのボタンを有効にすることを表す「許可ボタン」を端的に表す「許」が記された操作許可ボタン２６とが表示されている。
【００６７】
正常に稼働している織機１０を操作しようとするとき、操作者は、画面２４に表示されている操作許可ボタン２６と操作しようとする操作ボタン２２とを共に押下する。これにより、表示制御部１８の動作指令部が有効と判断し、操作しようとする操作ボタン２２に対応する動作が開始される。
【００６８】
停台原因に起因して「トラブル発生（全般）」や「対人センサー入力」の織機状態信号Ｓ４が表示制御部１８に入力された場合を図７に示す画面２４を参照して説明する。
【００６９】
表示制御部１８のボタン切換指令部は、「許」の操作許可ボタン２６を非表示とするべく、「ＯＮ」のインターロック信号Ｓ６を表示部２０に出力する。
【００７０】
「ＯＮ」のインターロック信号Ｓ６を受けた表示部２０は、「運」、「正」及び「逆」の操作ボタン２２を画面２４に表示させ、「許」の操作許可ボタン２６を非表示にする。
【００７１】
これにより、操作者は、操作許可ボタン２６が表示されていないため、操作許可ボタン２６と操作しようとする操作ボタン２２とを共に押下することができない。したがって、操作ボタン２２は、インターロックされた状態と同等の状態になる。
【００７２】
第３の実施例において、操作許可ボタン２６は、非表示とする代わりに、第１及び第２の実施例で説明した動作不能状態にしてもよい。
【００７３】
第３の実施例において、操作許可ボタン２６を非表示又は作動不能とする代わりに、第１及び第２の実施例で説明したようにインターロックすべき操作ボタン２２を個別に非表示又は作動不能としてもよい。図８に示す画面２４では、「運」の操作ボタン２２のみを非表示にさせている。
【００７４】
第２の実施例で説明したように、インターロックすべき操作許可ボタン２６又は操作ボタン２２を動作不能状態にすると共に、それ以外の操作ボタン２２に対し薄く又は色違いに表示してもよい。
【００７５】
［第４の実施例］
【００７６】
図９から図１１を参照するに、第４の実施例において、操作許可ボタン２６は、操作ボタン２２と同数だけ画面２４に表示されており、表示制御部１８は、操作者が操作しようとする操作ボタン２２とその操作しようとする操作ボタン２２に対応する操作許可ボタン２６とを共に押下したとき、押下された操作ボタン２２を有効とする動作指令部を含む。
【００７７】
図９に示すように、停台原因に関する織機状態信号Ｓ４が表示制御部１８に入力していないと、画面２４は、「運」、「正」及び「逆」の操作ボタン２２と、その操作ボタン２２に１対１の関係を有する「許可ボタン」を端的に表す「運許」、「正許」及び「逆許」の操作許可ボタン２６が表示されている。各操作許可ボタン２６は、対応する操作ボタン２２を押下したときその操作ボタン２２を有効にすることを入力するためのものである。
【００７８】
操作者は、操作しようとする操作ボタン２２とその操作ボタン２２に対応する操作許可ボタン２６とを共に押下すると、表示制御部１８が押下された操作ボタン２２を有効として処理するから、織機１０は押下された操作ボタン２２に対応する動作をする。
【００７９】
しかし、操作者が操作しようとする操作ボタン２２とその操作ボタン２２と対応していない操作許可ボタン２６とを共に押下しても、表示制御部１８及び表示部２０が押下された操作ボタン２２を無効として処理するから、織機１０は押下された操作ボタン２２に対応する動作をしない。
【００８０】
停台原因に起因して「逆転禁止」の織機状態信号Ｓ４が表示制御部１８に入力された場合を図１０に示す画面２４を参照して説明する。
【００８１】
表示制御部１８のボタン切換指令部は、各操作ボタン２２を表示した状態で、織機状態信号Ｓ４によってインターロックすべき「逆許」の操作許可ボタン２６を個別に非表示にする。
【００８２】
第４の実施例において、操作許可ボタン２６を非表示にする代わりに、操作ボタン２２を非表示にしてもよい。図１１は、「運転ボタン」に対応する「運」の操作ボタン２２を非表示にした画面２４を示す。しかし、「運転ボタン」に対応する「運」の操作ボタン２２を非表示にする代わりに「運」の操作ボタン２２を動作不能状態にしてもよいし、「運許」の操作許可ボタン２６を動作不能状態にしてもよい。
【００８３】
第２の実施例で説明したように、インターロックすべき操作許可ボタン２６又は操作ボタン２２を動作不能状態にし、その動作不能状態以外の操作許可ボタン２６や操作ボタン２２より薄く表示してもよい。
【００８４】
［その他の実施例］
【００８５】
操作ボタン２２又は操作許可ボタン２６を個別に非表示にする代わりに、いずれかのボタンがない別の画面を作成しておき、画面を随時切り替えてもよい。この時、全体の画面を切り替えてもよいし、操作ボタン２２だけの画面を作成し、その画面のみを切り替えてもよい。
【００８６】
織機状態信号として「トラブル発生（全般）」、「対人センサー入力」、「正転禁止」、「逆転禁止」及び「緯止め停止」を例に表１に示したがこれに限定されず、織機の動作としては正常状態であるが、操作者の特定の操作を禁止した方がよい場合、例えば、織機内部の自動洗浄や、織機の原点自動調整や、早朝の稼働開始に行う暖機運転などの状態信号がある。
【００８７】
上記したインターロック及びその解除は、プログラムにしたがうソフトウエア処理により実行される。
【００８８】
本発明は、上記実施例に限定されず、その趣旨を逸脱しない限り、種々変更することができる。
【図面の簡単な説明】
【図１】本発明に係る第１の実施例の表示装置を含む織機の構成を説明する模式図である。
【図２】図１に示す表示装置の画面を示す図である。
【図３】図１に示す画面の別の状態を示す図である。
【図４】図１に示す画面のさらに別の状態を示す図である。
【図５】本発明に係る第２の実施例の表示装置の画面を示す図である。
【図６】本発明に係る第３の実施例の表示装置の画面を示す図である。
【図７】図６に示す画面の別の状態を示す図である。
【図８】図６に示す画面の変形例を示す図である。
【図９】本発明に係る第４の実施例の表示装置の画面を示す図である。
【図１０】図９に示す画面の別の状態を示す図である。
【図１１】図９に示す画面の変形例を示す図である。
【符号の説明】
１０  織機
１２  制御装置
１４  原動部
１６  表示装置
１８  表示制御部
２０  表示部
２２  操作ボタン
２４  画面（タッチパネル）
２６  操作許可ボタン
Ｓ１  データ信号
Ｓ２  指令信号
Ｓ３  動作信号
Ｓ４  織機状態信号
Ｓ５  表示信号
Ｓ６  インターロック信号
Ｓ７  押下信号
【図１】
2004190181.tif 000004
【図２】
2004190181.tif 000005
【図３】
2004190181.tif 000006
【図４】
2004190181.tif 000007
【図５】
2004190181.tif 000008
【図６】
2004190181.tif 000009
【図７】
2004190181.tif 000010
【図８】
2004190181.tif 000011
【図９】
2004190181.tif 000012
【図１０】
2004190181.tif 000013
【図１１】
2004190181.tif 000014